(57)【要約】【課題】複数のアンテナからの信号を合成するダイバーシティ方式における伝送路推定精度および装置全体としての稼働率を向上させること。【解決手段】最大比合成部がセレクタ経由でアンテナ系列ごとの受信データを合成し、誤り訂正部が、合成された合成データのデマッピングを行ったうえでデマッピング後の合成データに対して誤り訂正を行い、再符号化部が、デマッピング後の合成データを受け取ってビタビ硬判定による誤り訂正を行ったうえで誤り訂正後の合成データである訂正後データを再符号化し、伝送路応答算出部が、再符号化された訂正後データをパイロットシンボルとして用いることで受信データに係る伝送路応答を算出するように受信装置を構成する。【選択図】        図２
2010118768.tif 000002
【特許請求の範囲】
【請求項１】
直交周波数分割多重信号を複数のアンテナでそれぞれ受信し、各アンテナ系列の受信データを合成する受信装置であって、
前記アンテナ系列ごとの前記受信データを合成する合成手段と、
前記合成手段によって合成された合成データのデマッピングを行ったうえでデマッピング後の合成データに対して誤り訂正を行う誤り訂正手段と、
前記誤り訂正手段からの誤り訂正後の前記合成データである訂正後データを再符号化する再符号化手段と、
前記再符号化手段によって再符号化された前記訂正後データをパイロットシンボルとして用いることで前記受信データに係る伝送路応答を算出する伝送路応答算出手段と
を備えたことを特徴とする受信装置。
【請求項２】
前記受信装置は、
２系列の誤り訂正手段
を備えるものであって、
一方の前記誤り訂正手段は、
前記アンテナ系列ごとの前記受信データを合成した前記合成データの誤り訂正を行ったうえで外部装置に対して出力し、
他方の前記誤り訂正手段は、
前記デマッピング後の前記合成データを前記再符号化手段に対して出力することを特徴とする請求項１に記載の受信装置。
【請求項３】
前記再符号化手段は、
所定のアンテナ系列に対応する前記伝送路応答算出手段に対して前記再符号化された訂正後データを出力することを特徴とする請求項１または２に記載の受信装置。
【請求項４】
前記合成手段は、
前記所定のアンテナ系列に係る受信データを前記合成データとして出力することを特徴とする請求項３に記載の受信装置。
【請求項５】
前記伝送路応答算出手段は、
前記受信データに含まれるパイロットシンボルのみに基づいて伝送路算出を行う第１の算出手段と、
前記訂正後データをパイロットシンボルとみなして伝送路算出を行う第２の算出手段と、
前記第１の算出手段による伝送路応答算出結果と前記第２の算出手段による伝送路応答算出結果との差分に基づいて最終的な伝送路応答を決定する決定手段と
をさらに備えたことを特徴とする請求項１〜４のいずれか一つに記載の受信装置。
【請求項６】
直交周波数分割多重信号を複数のアンテナでそれぞれ受信し、各アンテナ系列の受信データを合成する受信方法であって、
前記アンテナ系列ごとの前記受信データを合成する合成工程と、
前記合成工程によって合成された合成データのデマッピングを行ったうえでデマッピング後の合成データに対して誤り訂正を行う誤り訂正工程と、
前記誤り訂正工程からの誤り訂正後の前記合成データである訂正後データを再符号化する再符号化工程と、
前記再符号化工程によって再符号化された前記訂正後データをパイロットシンボルとして用いることで前記受信データに係る伝送路応答を算出する伝送路応答算出工程と
を含んだことを特徴とする受信方法。
【発明の詳細な説明】
【技術分野】
【０００１】
この発明は、直交周波数分割多重信号を複数のアンテナでそれぞれ受信し、各アンテナ系列の受信データを合成する受信装置および受信方法に関し、特に、伝送路推定精度および装置全体としての稼働率を向上させることができる受信装置および受信方法に関するものである。
【背景技術】
【０００２】
近年、車載用ＤＴＶ（デジタルテレビジョン）受信機が普及してきている。ＤＴＶ放送波は、ＯＦＤＭ（Orthogonal  Frequency  Division  Multiplexing；直交周波数分割多重）方式に準拠しており、ＤＴＶ放送波から情報を復調する際には、いわゆる、ＯＦＤＭ復調を行う必要がある。
【０００３】
ところで、上記した車載用ＤＴＶ受信機の場合、車両の速度や向き、車両周辺の環境に応じて受信環境が絶えず変化するので、このような移動環境においても放送波を安定して受信することが求められている。このため、複数のアンテナからの信号を合成したり、受信状態が良好なアンテナからの信号を選択して使用したりするダイバーシティ方式が用いられている。
【０００４】
また、受信信号の歪みを除去する等化回路（等化部）も用いられている。具体的には、等化部は、伝送路の伝達特性を推定し（伝送路推定）、推定した伝達特性に基づく受信信号の補正を行う。ここで、伝送路推定では、送信側および受信側の双方で既知なＳＰ（Scattered  Pilot）信号に基づいて伝送路応答を算出する。しかし、ＳＰ信号は、１２キャリアに１つの割合で挿入される信号であるため、伝送路推定精度には限界があった。
【０００５】
このため、ＳＰ信号以外の信号を用いて伝送路推定を行う手法が提案されている。たとえば、特許文献１には、等化処理後のデータを誤り訂正し、誤り訂正後のデータを再符号化してＳＰ信号の代わりに用いる技術が開示されている。
【０００６】
【特許文献１】特開２００４−７２２５１号公報
【発明の開示】
【発明が解決しようとする課題】
【０００７】
しかしながら、特許文献１の技術は、複数のアンテナからの信号を合成するダイバーシティ方式を前提とした技術ではない。このため、特許文献１の技術を、ダイバーシティ方式の受信装置に対してそのまま適用することは困難であるという問題がある。
【０００８】
また、ダイバーシティ方式の受信装置の中には、２つの放送番組を同時に受信することができるものも存在する（２ＴＳ（Transport  Stream）出力）。そして、２ＴＳ出力を行う場合には、少なくとも２系列の誤り訂正部が必要となる。しかし、このような受信装置で１ＴＳ出力を行う場合には、片系の誤り訂正部が未使用となり装置全体としての稼働率が低下するという問題もある。
【０００９】
これらのことから、複数のアンテナからの信号を合成する場合に、伝送路推定精度および装置全体としての稼働率を向上させることができる受信装置あるいは受信方法をいかにして実現するかが大きな課題となっている。
【００１０】
本発明は、上述した従来技術による問題点を解消するためになされたものであり、複数のアンテナからの信号を合成する場合に、伝送路推定精度および装置全体としての稼働率を向上させることができる受信装置および受信方法を提供することを目的とする。
【課題を解決するための手段】
【００１１】
上述した課題を解決し、目的を達成するため、本発明は、直交周波数分割多重信号を複数のアンテナでそれぞれ受信し、各アンテナ系列の受信データを合成する受信装置であって、前記アンテナ系列ごとの前記受信データを合成する合成手段と、前記合成手段によって合成された合成データのデマッピングを行ったうえでデマッピング後の合成データに対して誤り訂正を行う誤り訂正手段と、前記誤り訂正手段からの誤り訂正後の前記合成データである訂正後データを再符号化する再符号化手段と、前記再符号化手段によって再符号化された前記訂正後データをパイロットシンボルとして用いることで前記受信データに係る伝送路応答を算出する伝送路応答算出手段とを備えたことを特徴とする。
【００１２】
また、本発明は、直交周波数分割多重信号を複数のアンテナでそれぞれ受信し、各アンテナ系列の受信データを合成する受信方法であって、前記アンテナ系列ごとの前記受信データを合成する合成工程と、前記合成工程によって合成された合成データのデマッピングを行ったうえでデマッピング後の合成データに対して誤り訂正を行う誤り訂正工程と、前記誤り訂正工程からの誤り訂正後の前記合成データである訂正後データを再符号化する再符号化工程と、前記再符号化工程によって再符号化された前記訂正後データをパイロットシンボルとして用いることで前記受信データに係る伝送路応答を算出する伝送路応答算出工程とを含んだことを特徴とする。
【発明の効果】
【００１３】
本発明によれば、アンテナ系列ごとの受信データを合成し、合成された合成データのデマッピングを行ったうえでデマッピング後の合成データに対して誤り訂正を行い、デマッピング後の合成データを受け取ってビタビ硬判定による誤り訂正を行ったうえで誤り訂正後の合成データである訂正後データを再符号化し、再符号化された訂正後データをパイロットシンボルとして用いることで受信データに係る伝送路応答を算出することとしたので、誤り訂正後の合成データを再符号化して伝送路算出処理にフィードバックすることで、伝送路推定精度を向上させることができるという効果を奏する。
【発明を実施するための最良の形態】
【００１４】
以下に添付図面を参照して、この発明に係る受信装置および受信方法の好適な実施例を詳細に説明する。なお、以下では、本発明に係る受信手法の概要を説明した後に、本発明に係る受信手法を適用した受信装置についての実施例を説明することとする。
【００１５】
まず、本発明に係る受信手法の概要について図１を用いて説明する。図１は、本発明に係る受信手法の概要を示す図である。なお、同図の（Ａ）には、従来技術に係る受信手法について、同図の（Ｂ）には、本発明に係る受信手法について、それぞれ示している。
【００１６】
同図の（Ａ）に示すように、従来の受信手法では、ＦＦＴ（Fast  Fourier  Transform；高速フーリエ変換）部から受け取ったＳＰ（Scattered  Pilot）信号に基づいて伝送路応答を算出していた（同図の（Ａ−１）参照）。
【００１７】
具体的には、１２キャリアに一つの割合で挿入されているＳＰ信号（同図の（Ａ）の黒丸参照）に基づいて伝送路推定を行っていた。かかる伝送路推定においては、シンボル方向（時間軸）およびキャリア方向（周波数軸）についてそれぞれ補間を行う４シンボル補間、キャリア方向についてのみ補間を行う毎シンボル補間などの補間処理を組み合わせることで伝送路推定の精度を向上させることとしていた。
【００１８】
しかし、上記したように、ＳＰ信号は、１２キャリアに一つの割合で挿入されている信号であるため、たとえ補間処理を併用したとしても、ＳＰ信号のみに基づく伝送路推定の精度には限界があった。
【００１９】
そこで、本発明に係る受信手法では、伝送路推定処理および補間処理を経たデータの誤り訂正を行い、誤り訂正したデータを伝送路推定処理にフィードバックすることとした（同図の（Ｂ−１）参照）。そして、フィードバックデータをＳＰ信号とみなして伝送路応答を算出することした（同図の（Ｂ−２）参照）。
【００２０】
このように、誤り訂正後のデータを伝送路推定処理にフィードバックすると、フィードバックデータの各々をＳＰ信号とみなせるので（同図の「みなしＳＰ信号」参照）、伝送路推定の精度を向上させることができる。
【００２１】
そして、本発明に係る受信手法では、かかるフィードバックデータを、所定のアンテナ系列にフィードバックすることとしたので、受信状況に応じてダイバーシティ方式の受信装置における所定のアンテナ系列に係る伝送路推定精度を向上させることができる。たとえば、受信状況が最も悪いアンテナ系列についてのみフィードバックを行うことで、受信装置全体としての受信状況を改善することができる。
【００２２】
また、本発明に係る受信手法では、複数の誤り訂正部のうち、通常処理では使用されていない誤り訂正部を用いてフィードバック用のデータ生成処理を行うこととしたので、受信装置全体としての稼働率を向上させることができる。
【００２３】
以下では、本発明に係る受信手法を適用した受信装置についての実施例を説明する。なお、以下の実施例では、４本のアンテナに対応する処理部の組をあらわす「ブランチ」をアンテナと同数備えた受信装置について説明することとする。また、以下の実施例では、自動車などの移動体に設けられる受信装置について示すが、屋内や屋外に設置される受信装置や、携帯電話などのモバイル型受信装置に、本発明を適用することとしてもよい。
【実施例】
【００２４】
図２は、本実施例に係る受信装置１０の構成を示すブロック図である。なお、以下では、アンテナ１に対応する同期部１１、ＦＦＴ部１２および伝送路応答算出部１３をブランチ（１）（同図の２１参照）と記載し、同期部１１−１、ＦＦＴ部１２−１、伝送路応答算出部１３−１のようにブランチ番号に対応する枝番を付すこととする。また、アンテナ２、アンテナ３およびアンテナ４に対応する各処理部についても同様の記載を行う。
【００２５】
同図に示すように、受信装置１０は、同期部１１と、ＦＦＴ部１２と、伝送路応答算出部１３との組を、４つのアンテナ（アンテナ１〜アンテナ４）それぞれについて備えている。また、受信装置１０は、セレクタ１４と、最大比合成部１５と、誤り訂正部１６と、再符号化部１７とを備えている。
【００２６】
ここで、最大比合成部１５および誤り訂正部１６については、ＴＳ１信号出力用の第１系列（最大比合成部１５−１および誤り訂正部１６−１）と、ＴＳ２信号出力用の第２の系列（最大比合成部１５−２および誤り訂正部１６−２）との２組を備えている。そして、誤り訂正部１６−２と接続された再符号化部１７は、ビタビ硬判定部１７ａと、符号化部１７ｂとをさらに備えている。
【００２７】
なお、同図に示した受信装置１０は、１つのＴＳ信号を出力する動作状態の場合には、誤り訂正部１６−１のみが用いられ、誤り訂正部１６−２は、再符号化部１７に対する出力を行うものとする。
【００２８】
同期部１１−１は、アンテナ１からの信号を検波・増幅する処理部であり、検波・増幅後の信号をアナログ信号からデジタル信号へ変換したうえで、ＦＦＴ部１２−１に対して出力する処理を行う。また、ＦＦＴ部１２−１は、搬送波に重畳されたデータをＦＦＴ（Fast  Fourier  Transform；高速フーリエ変換）によって取得し、取得したデータを伝送路応答算出部１３−１に対して出力する処理を行う。
【００２９】
伝送路応答算出部１３−１は、ＦＦＴ部１２−１から受け取ったデータについて伝送路応答を算出する処理を行う処理部である。具体的には、この伝送路応答算出部１３−１は、ＦＦＴ部１２−１から受け取ったデータに含まれるＳＰ信号に基づく伝送路応答算出処理と、再符号化部１７から受け取ったデータをＳＰ信号として用いた伝送路応答算出処理とを行い、両者を対比することで最終的な伝送路応答を算出する。そして、算出した伝送路応答に基づいて補間処理などの補正処理を実行し、補正後のデータをセレクタ１４に対して出力する。
【００３０】
なお、アンテナ２に対応する同期部１１−２、ＦＦＴ部１２−２および伝送路応答算出部１３−２、アンテナ３に対応する同期部１１−３、ＦＦＴ部１２−３および伝送路応答算出部１３−３、アンテナ４に対応する同期部１１−４、ＦＦＴ部１２−４および伝送路応答算出部１３−４についても、同期部１１−１、ＦＦＴ部１２−１および伝送路応答算出部１３−１と同様の処理を行う。
【００３１】
セレクタ１４は、各ブランチ（ブランチ（１）〜ブランチ（４））についての４つの系列データの中から所定の系列データを選択し、選択した系列データを最大比合成部１５−１あるいは最大比合成部１５―２に対して出力する処理を行う。たとえば、このセレクタ１４は、ブランチ（１）およびブランチ（２）からのデータについては最大比合成部１５−１に対して出力し、ブランチ（３）およびブランチ（４）からのデータについては最大比合成部１５−２に対して出力することができる。
【００３２】
また、セレクタ１４は、最大比合成部１５―１および最大比合成部１５−２に対して重複したデータを出力することもできる。たとえば、ブランチ（１）およびブランチ（２）、ブランチ（３）およびブランチ（４）からのデータを最大比合成部１５−１および最大比合成部１５−２の双方に対して出力することができる。
【００３３】
また、セレクタ１４は、最大比合成部１５−１に対してはブランチ（１）、ブランチ（２）、ブランチ（３）およびブランチ（４）からのデータを出力し、最大比合成部１５−２に対しては、所定のブランチからのデータのみ、たとえば、ブランチ（２）からのデータのみを出力することもできる。
【００３４】
最大比合成部１５（最大比合成部１５−１および最大比合成部１５−２）は、セレクタ１４から受け取った各系列データの合成処理を行い、合成データを誤り訂正部１６（誤り訂正部１６−１および誤り訂正部１６−２）に対して出力する処理を行う。なお、この最大比合成部１５は、セレクタ１４から受け取った各系列データを最大比合成して出力するが、セレクタ１４から１つの系列データを受け取った場合には、この系列データをそのまま出力することもできる。
【００３５】
誤り訂正部１６は、最大比合成部１５から受け取った合成データについて誤り訂正を行ったうえで、誤り訂正後のデータをＴＳ信号として外部装置へ出力する処理を行う処理部である。なお、誤り訂正としては、ビタビ軟判定を用いることができる。また、同図に示す誤り訂正部１６−１は、誤り訂正後のデータをＴＳ１信号として外部装置へ出力し、同図に示す誤り訂正部１６−２は、誤り訂正後のデータをＴＳ２信号として外部装置へ出力する。
【００３６】
ここで、誤り訂正部１６−２は、再符号化部１７に対してフィードバック用のデータを出力する処理を併せて行う。具体的には、セレクタ１４から受け取った合成データについて、周波数デインターリーブ処理、時間デインターリーブ処理およびデマップ処理を行い、デマッピング後のデータを、再符号化部１７に対して出力する。
【００３７】
再符号化部１７は、誤り訂正部１６−２からデマッピング後のデータを受け取り、誤り訂正処理および符号化処理を行って伝送路応答算出部１３（伝送路応答算出部１３−１〜伝送路応答算出部１３−４）へフィードバックする処理を行う処理部である。
【００３８】
ビタビ硬判定部１７ａは、誤り訂正部１６−２から受け取ったデマッピング後のデータについてビタビ硬判定による誤り訂正を行い、誤り訂正後のデータを符号化部１７ｂに対して出力する処理を行う処理部である。なお、ビタビ軟判定ではなくビタビ硬判定を行うのは、再符号化部１７の処理負荷を低減するためである。
【００３９】
符号化部１７ｂは、ビタビ硬判定部１７ａから受け取った誤り訂正後のデータについて送信側（たとえば、放送局側）で行う符号化処理と同様の符号化処理を行う処理部である。また、この符号化部１７ｂは、再符号化したデータを、伝送路応答算出部１３−１、伝送路応答算出部１３−２、伝送路応答算出部１３−３および伝送路応答１３−４のいずれか、または、任意の組み合わせに対して通知する処理を併せて行う。
【００４０】
たとえば、この符号化部１７ｂは、ブランチ（２）についてのみフィードバックを行う場合には、伝送路応答算出部１３−２に対してのみ再符号化したデータを通知する。また、すべてのブランチ（ブランチ（１）〜（４））に対してフィードバックを行う場合には、伝送路応答算出部１３−１、伝送路応答算出部１３−２、伝送路応答算出部１３−３および伝送路応答算出部１３−４に対して再符号化したデータを通知する。
【００４１】
次に、図２に示した伝送路応答算出部１３、誤り訂正部１６および再符号化部１７が行う処理内容について図３を用いてさらに詳細に説明する。図３は、各処理部によって実行される処理フローを示す図である。なお、同図では、説明を簡単にするために、１つのアンテナ系列についての処理フローを示している。
【００４２】
まず、通常の処理フロー（フィードバックを含まない処理フロー）について説明する。ＦＦＴ部１２がＦＦＴ処理３１ａを行うと、伝送路応答算出部１３は、伝送路応答算出処理（第１）３１ｂを実行する。ここで、伝送路応答算出部処理（第１）３１ｂは、ＦＦＴ処理３１ａの処理結果に含まれるＳＰ信号に基づく伝送路応答算出を行う。
【００４３】
そして、伝送路応答算出部１３は、伝送路応答算出処理（第１）３１ｂの処理結果に基づいて補間処理などの等化処理３１ｃを実行する。なお、この等化処理３１ｃでは、伝送路応答算出処理（第２）による処理結果を、伝送路応答算出処理（第１）による処理結果と対比する処理を併せて行うが、この点については後述することとする。
【００４４】
最大比合成部１５は、等化処理３１ｃの処理結果について最大比合成処理３１ｄを実行する。つづいて、誤り訂正部１６は、最大比合成処理３１ｄの処理結果について、周波数デインターリーブ処理３１ｅ、時間デインターリーブ処理３１ｆおよびデマップ処理３１ｇを実行する。そして、デマップ処理３１ｇの処理結果に基づいてビタビ軟判定処理３１ｈを実行して誤り訂正を行い、ＴＳ信号を出力する。
【００４５】
ここで、デマップ処理３１ｇの処理結果は、再符号化部１７に対しても通知される。そして、再符号化データが伝送路応答算出部１３に対してフィードバックされる。そこで、以下では、かかるフィードバック処理の処理フローについて説明する。
【００４６】
再符号化部１７は、デマップ処理３１ｇ後のデータを受け取り、受け取ったデータに対してビタビ硬判定処理３２ａを実行する。そして、時間インターリーブ処理３２ｂ、周波数インターリーブ処理３２ｃを行ったうえで、畳み込み符号化処理３２ｄを実行する。
【００４７】
つづいて、パンクチャ処理３２ｅおよびマッピング処理３２ｆを実行し、マッピング処理３２ｆの処理結果を、伝送路応答算出部１３へ通知する。なお、ビタビ硬判定処理についてはビタビ硬判定部１７ａが、その他の処理については、符号化部１７ｂが、それぞれ実行する。
【００４８】
そして、伝送路応答算出部１３は、再符号化部１７から受け取ったマッピング処理後のデータおよびバッファ３３ａに格納されているデータに基づいて伝送路応答算出処理（第２）３３ｂを実行する。ここで、バッファ３３ａは、メモリ等の記憶デバイスであり、ＦＦＴ処理３１ａによる処理結果が格納されている。そして、伝送路応答算出処理（第２）３３ｂは、マッピング処理３２ｆからのデータを「みなしＳＰ信号」としたうえで、バッファ３３ａに格納されているデータについての伝送路応答を算出する。
【００４９】
つづいて、伝送路応答算出処理（第２）３３ｂは、伝送路応答の算出結果を等化処理３１ｃに対して通知する。等化処理３１ｃは、伝送路応答算出処理（第１）３１ｂによる伝送路応答算出結果と、伝送路応答算出処理（第２）３３ｂによる伝送路応答算出結果とを対比し、対比結果に基づいて補間処理を実行する。
【００５０】
たとえば、この等化処理３１ｃでは、伝送路応答算出処理（第１）３１ｂによる伝送路応答算出結果と、伝送路応答算出処理（第２）３３ｂによる伝送路応答算出結果との差分値を算出する。そして、算出した差分値が所定の閾値以上である場合に、差分値に応じた補正量を決定し、決定した補正量に基づいて伝送路応答算出処理（第１）３１ｂによる伝送路応答を補正する。
【００５１】
なお、伝送路応答算出処理（第１）３１ｂによる伝送路応答算出結果と、伝送路応答算出処理（第２）３３ｂによる伝送路応答算出結果とのうち、いずれかの伝送路応答算出結果のみを用いることとしてもよい。
【００５２】
次に、伝送路応答算出処理（第１）３１ｂが行うＳＰ信号に基づく伝送路応答算出の例について図４および図５を用いて説明する。図４は、４シンボル補間を示す図であり、図５は、毎シンボル補間を示す図である。
【００５３】
なお、図４および図５に示す「黒丸」はＳＰ信号を示しており、「白丸」はデータ信号を示している。また、各図に示す各データは、シンボル方向（同図における縦軸）およびキャリア方向（同図における横軸）に展開されているものとする。
【００５４】
図４の（１）に示すように、シンボル方向についてみた場合、ＳＰ信号は、４シンボルごとにあらわれる。ここで、同図の４１に示すＳＰ信号と、同図の４２に示すＳＰ信号で挟まれるデータ信号（同図の４３参照）は、ＳＰ信号４１およびＳＰ信号４２を用いた補間処理の対象となる。
【００５５】
シンボル方向補間によって補正されたデータ信号を同図の（２）に「四角」で示す。たとえば、ＳＰ信号４１およびＳＰ信号４２で挟まれた２つのデータ信号４３（同図の（１）参照）は、シンボル方向補間によって補正されることで、擬似的なＳＰ信号として用いることが可能な疑似ＳＰ信号となる（同図の４４参照）。同様に、キャリア方向について４シンボルごとにシンボル方向補間処理が行われ（同図の「シンボル方向補間」参照）、同図の（２）に示したように、すべての疑似ＳＰ信号が生成される。
【００５６】
そして、同図の（３）に示すように、キャリア方向補間を行う際には、ＳＰ信号が４シンボルごとに存在するとみなせるので、各ＳＰ信号（擬似ＳＰ信号を含む）に挟まれる２つのデータ信号が、各ＳＰ信号を用いて補正されていくことになる（同図の「キャリア方向補間」参照）。このように、４シンボル補間では、シンボル方向補間によってＳＰ信号を擬似的に増加させることができる。次に、毎シンボル補間について説明する。
【００５７】
図５に示すように、毎シンボル補間処理では、シンボル方向補間処理が行われず、キャリア方向補間処理のみが行われるので（同図の「キャリア方向補間」参照）、たとえば、ＳＰ信号５１と、ＳＰ信号５２で挟まれた１１個のデータ信号５３が、キャリア方向補間処理の対象となる。このように、毎シンボル補間では、キャリア方向補間のみが行われる。
【００５８】
図４および図５に示したように、伝送路応答算出処理（第１）３１ｂは、４シンボル補間処理や毎シンボル補間処理を行うことで、ＳＰ信号を擬似的に増加させて伝送路応答算出を行うが、ＳＰ信号に基づいて伝送路応答を算出することにかわりはない。したがって、再符号化データに基づいて伝送路応答算出を行う伝送路応答算出処理（第２）３３ｂよりも伝送路応答算出の精度は低いものとなる。
【００５９】
次に、再符号化部１７によるフィードバックのバリエーションについて図６を用いて説明する。図６は、フィードバックのバリエーションを示す図である。同図の（１）に示すように、すべてのブランチ（ブランチ（１）〜ブランチ（４））からのすべてのデータを合成することで合成データを生成した場合において、再符号化部１７が、再符号化データを所定のブランチへフィードバックする。たとえば、再符号化データを、受信状況が最も悪いブランチへフィードバックすることとしてもよいし、すべてのブランチへフィードバックすることとしてもよい。
【００６０】
また、同図の（２）に示すように、所定のブランチ（同図ではブランチ（２））からのデータを合成データとして生成した場合（すなわち、合成処理をスルーしてブランチ（２）からのデータのみ通過させた場合）において、再符号化部１７が、再符号化データを所定のブランチ（同図では（ブランチ（２））へフィードバックする。
【００６１】
このようなフィードバックのバリエーションは、たとえば、セレクタ１４による各系列データの分配情報を再符号化部１７へ通知し、再符号化部１７の符号化部１７ｂが、再符号化データをフィードバックすべきブランチを認知することによって行われる。
【００６２】
次に、受信装置１０によって実行される処理手順について図７を用いて説明する。図７は、受信装置１０によって実行される処理手順を示すフローチャートである。同図に示すように、誤り訂正部１６において合成データのデマッピングが行われたならば（ステップＳ１０１），再符号化部１７のビタビ硬判定部１７ａは、デマッピング後のデータについてビタビ硬判定処理による誤り訂正を行う（ステップＳ１０２）。
【００６３】
つづいて、再符号化部１７の符号化部１７ｂは、誤り訂正後のデータを再符号化して伝送路応答算出部１３へフィードバックする（ステップＳ１０３）。そして、伝送路応答算出部１３は、受信データに基づく伝送路応答と、再符号化データに基づく伝送路応答とを対比する（ステップＳ１０４）。
【００６４】
そして、両者の差分が所定値以上であるか否かを判定し（ステップＳ１０５）、差分が所定値以上である場合には（ステップＳ１０５，Ｙｅｓ）、差分値に基づいて補正量を決定する（ステップＳ１０６）。つづいて、決定した補正量を用いて受信データに基づく伝送路応答を補正し（ステップＳ１０８）、処理を終了する。一方、ステップＳ１０５の判定条件を満たさなかった場合には（ステップＳ１０５，Ｎｏ）、補正を行うことなく（ステップＳ１０７）処理を終了する。
【００６５】
上述してきたように、本実施例では、最大比合成部がセレクタ経由でアンテナ系列ごとの受信データを合成し、誤り訂正部が、合成された合成データのデマッピングを行ったうえでデマッピング後の合成データに対して誤り訂正を行い、再符号化部が、デマッピング後の合成データを受け取ってビタビ硬判定による誤り訂正を行ったうえで誤り訂正後の合成データである訂正後データを再符号化し、伝送路応答算出部が、再符号化された訂正後データをパイロットシンボルとして用いることで受信データに係る伝送路応答を算出するように受信装置を構成した。つまり、誤り訂正後の合成データを再符号化して伝送路算出処理にフィードバックすることで、伝送路推定精度を向上させることができる。
【産業上の利用可能性】
【００６６】
以上のように、本発明に係る受信装置および受信方法は、複数のアンテナからの信号を合成するダイバーシティ方式における伝送路推定精度および装置全体としての稼働率を向上させたい場合に有用であり、特に、自動車などのように受信状況が変化しやすい環境においても受信状態を安定させたい場合に適している。
【図面の簡単な説明】
【００６７】
【図１】本発明に係る受信手法の概要を示す図である。
【図２】本実施例に係る受信装置の構成を示すブロック図である。
【図３】各処理部によって実行される処理フローを示す図である。
【図４】４シンボル補間を示す図である。
【図５】毎シンボル補間を示す図である。
【図６】フィードバックのバリエーションを示す図である。
【図７】受信装置によって実行される処理手順を示すフローチャートである。
【符号の説明】
【００６８】
１、２、３、４  アンテナ
１０    受信装置
１１    同期部
１２    ＦＦＴ部
１３    伝送路応答算出部
１４    セレクタ
１５    最大比合成部
１６    誤り訂正部
１７    再符号化部
１７ａ  ビタビ硬判定部
１７ｂ  符号化部
２１    ブランチ（１）
３１ａ  ＦＦＴ処理
３１ｂ  伝送路応答算出処理（第１）
３１ｃ  等化処理
３１ｄ  最大比合成処理
３１ｅ  周波数デインターリーブ処理
３１ｆ  時間デインターリーブ処理
３１ｇ  デマップ処理
３１ｈ  ビタビ軟判定処理
３２ａ  ビタビ硬判定処理
３２ｂ  時間インターリーブ処理
３２ｃ  周波数インターリーブ処理
３２ｄ  畳み込み符号化処理
３２ｅ  パンクチャ処理
３２ｆ  マッピング処理
３３ａ  バッファ
３３ｂ  伝送路応答算出処理（第２）
【図１】
2010118768.tif 000003
【図２】
2010118768.tif 000004
【図３】
2010118768.tif 000005
【図４】
2010118768.tif 000006
【図５】
2010118768.tif 000007
【図６】
2010118768.tif 000008
【図７】
2010118768.tif 000009